(57)【要約】      （修正有）【課題】ＵＳＢメモリー装置内に格納された既存のＵＳＢメモリーチップを別のＵＳＢメモリーチップに交換することが可能なＵＳＢメモリー装置を提供する。【解決手段】筺体１０にレール部２とコネクター３とが収納され、コネクター３では、コンピューターのＵＳＢポートに差し込む側の側面部の端部を絶縁部材４で被い、ＵＳＢメモリーチップ５を組み込み、側面部の孔部に側面部同士の間で伸縮可能なばね性の棒部材６、６を組み込み、ＵＳＢメモリーチップ５上のばね性の棒部材６、６同士の間に押圧部材を組み込み、レール部２でコネクター３を被い、レール部２の案内溝２３でばね性の棒部材６、６を摺動させて、ばね性の棒部材６、６が第一係止部２３２、第二係止部２３３に入り込むことでレール部２とコネクター３とを開いた状態にする。【選択図】図１
0003164065.tif 000002
【実用新案登録請求の範囲】
【請求項１】
コンピューターとデーターの入出力を行うために、前記コンピューターのＵＳＢポートへ着脱自在に差し込む、ＵＳＢメモリーチップを内蔵したコネクターを備えたＵＳＢメモリー装置において、
前記ＵＳＢメモリー装置は、前記コネクターと、前記コネクターと連結可能なレール部を取り付けた筺体とからなり、
前記レール部は、平板部から伸びる、対向する一対の側面部同士には、それぞれ対向して前記側面部を貫通して、前記側面部の長手方向に沿って形成された案内溝を備え、
該案内溝は前記側面部の長手方向に沿って伸びる摺動部と、該摺動部に前記側面部の長手方向を横断する方向で、前記摺動部のいずれか一方の端部側に前記摺動部に対して凸部状に形成された、前記摺動部と連続する第一係止部と、前記摺動部と連続して前記第一係止部と同じ側に前記摺動部に対して凸部状に形成された第二係止部と、からなり、
前記レール部と連結可能な前記コネクターは、前記ＵＳＢポートに差し込む側の前記コネクターの前面部の端部を被い、前記コネクターの底板部に載る絶縁部材と、
該絶縁部材に載るＵＳＢメモリーチップと、
前記コネクターの側面部の、前記ＵＳＢメモリーチップの上面から離れて設けられた孔部に組み込まれ、前記コネクターの側面部から突出する、円筒状のピン部と、該ピン部の外径より大きく、前記ピン部の軸方向に沿う長さの中央に設けられたリング部と、前記ピン部を前記ピン部の軸方向に沿って移動させる、前記ピン部に当接して押圧を加えるばねと、該ばねと、前記ピン部の、前記ばねに当接して押圧を加えられる側を収納したパイプ部とを備え、前記コネクターの側面部同士の間で伸縮可能なばね性の棒部材と、
前記ばね性の棒部材同士の間で前記ＵＳＢメモリーチップの上面に載り、前記ばね性の棒部材側では低くなる段差が形成された底面部と、該底面部に連続して前記底面部に対して傾斜する角度が変化してばね性の働きをなす側面部と、該側面部に連続して、押圧が加わることで前記ＵＳＢメモリーチップの上面に載った前記底面部に対して押圧を加える押圧面とを備えた押圧部材と、を備えており、
前記コネクターの側面部の孔部から突出した前記ピン部を前記レール部の案内溝に組み込むことで、前記押圧部材の底面部が前記ＵＳＢメモリーチップ側に押圧を加え、前記押圧部材の押圧面が前記レール部の平板部に押圧を加えて、前記コネクターと前記レール部とが連結されることを特徴とするＵＳＢメモリー装置。
【請求項２】
前記レール部と前記コネクターとを連結して重ね合わせた際に、前記第一係止部及び前記第二係止部が前記摺動部より凸部状に前記コネクター側に形成されており、前記摺動部を摺動する、前記ばね性の棒部材の先端側のピン部は前記摺動部にあり、前記摺動部を前記ピン部が摺動することで前記レール部に対して前記コネクターが移動し、一方の、前記ばね性の棒部材の先端側のピン部が前記第一係止部に入り込み、同時に、他方の、前記ばね性の棒部材の先端側のピン部が前記第二係止部に入り込むことで、前記レール部に対して前記コネクターが安定した状態になることを特徴する請求項１に記載のＵＳＢメモリー装置。
【請求項３】
連結された、前記レール部と前記コネクターとは、前記レール部の案内溝内の、前記コネクターのばね性の棒部材のピン部に、前記ばね性の棒部材の軸方向に沿って、押圧を加えることによって前記ばね性の棒部材のパイプ部内に前記ピン部を押し込むことで、前記ばね性の棒部材の長さを縮めることにより、前記レール部の案内溝内からピン部が外れることで前記レール部と前記コネクターとが分離されることを特徴とする請求項１又２に記載のＵＳＢメモリー装置。
【請求項４】
前記レール部の側面部の案内溝では、前記摺動部より凸部状に前記コネクターが連結される側に形成された、前記第一係止部及び前記第二係止部は、前記摺動部に連続して、前記摺動部に対して９０°以下の角度で伸びて形成されていることを特徴とする請求項１乃至３のいずれかに記載のＵＳＢメモリー装置。
【考案の詳細な説明】
【技術分野】
【０００１】
本考案は、パーソナルコンピューター等のＵＳＢポートに接続して使用する、ＵＳＢメモリーチップ（半導体メモリー）を格納したＵＳＢメモリー装置に関する。
【背景技術】
【０００２】
パーソナルコンピューター１１０等では、ファイルを保存したり、ファイルを他のコンピュータに移動したりするために、図１２（ａ）に示すように、ＵＳＢメモリー装置１００が使用されている。パーソナルコンピューター１１０等では、パーソナルコンピューター１１０等とＵＳＢメモリー装置１００との間でデータのやりとりを行うために、ＵＳＢメモリー装置を挿入するためのスロット（ＵＳＢポート）１１５が設けられている。そして、一般に、パーソナルコンピューター１１０等では、ＵＳＢメモリー装置１００を接続するためのスロット１１５内に図示しないＵＳＢ端子を有しており、スロット１１５内にＵＳＢメモリー装置１００のコネクター（ＵＳＢ端子）１０２が挿入される（接続される）ことで、パーソナルコンピューター１１０等のスロット１１５内のＵＳＢ端子とＵＳＢメモリー装置１００のＵＳＢ端子との導通が図られることでパーソナルコンピューター１１０等とＵＳＢメモリー装置１００と間でデータの入出力が行われる。スロット１１５内に挿入される（接続される）ＵＳＢメモリー装置１００は、図１２（ｂ）に示すように、筐体１０１から外部にコネクター１０２が突き出した形状であり、図示しないＵＳＢメモリーチップが格納されている（特許文献１）。
【先行技術文献】
【特許文献】
【０００３】
【特許文献１】特開２００２−４１２４７（段落０００３、段落００３６、図１、図３）
【考案の概要】
【考案が解決しようとする課題】
【０００４】
しかしながら、図１２に示すＵＳＢメモリー装置１００では、ＵＳＢメモリー装置１００に格納されたＵＳＢメモリーは取り出すことができず、ＵＳＢメモリーチップだけが故障したような場合であってもＵＳＢメモリー装置１００を廃棄せざる得なかった。また、最近では、インターネット等の普及によりパーソナルコンピューター１１０等で扱うデータの容量も大きくなり、ＵＳＢメモリー装置１００内のＵＳＢメモリーチップの記憶容量が十分に対応できない場合もある。そのような場合には、データの容量に対応するＵＳＢメモリー装置１００を新たに購入する必要があった。さらに、ＵＳＢメモリー装置１００は、一般的に持ち運び可能な小型のものが多く、ファッションアイテムとしての要素も要求される傾向が高まりつつある。ＵＳＢメモリー装置１００の外観（筺体１０１）は本来の記憶媒体としての機能とは異なる部分であるが、消費者がＵＳＢメモリー装置１００の購入の際に最初に目につく箇所であり、購入に際しての意志を決定する際の重要な要素になり得る。
【０００５】
そして、購入されたＵＳＢメモリー装置１００を本来の機能である記憶媒体として用いた際に、ＵＳＢメモリー装置１００内のＵＳＢメモリーの容量が小さく記憶媒体としての役割が果たせないということであれば、外観（筺体１０１）がどんなに消費者の購買意欲を刺激してもＵＳＢメモリー装置１００としては使われなくなるし、最終的には、デザイン性に優れていても購入されない商品となってしまう。特に、最近のインターネット等の普及やその他の電子端末の発達により、扱われるデータ容量も日々大きくなっているのが現状である。そのため、ＵＳＢメモリー装置１００を購入した時期には、十分に記憶媒体としての機能を果たせるだけの容量を有していても、昨今では短期間の時間の経過により、記憶媒体としての機能が十分に発揮できないことになり易い。そのため、ＵＳＢメモリー装置１００に対して容量の大きいデータの入出力に対応することが求められる。
【０００６】
本考案は、上記の事情に鑑みなされたものであり、ＵＳＢメモリー装置内に格納された既存のＵＳＢメモリーチップを別のＵＳＢメモリーチップに交換することが可能なＵＳＢメモリー装置を提供することを目的とする。
【課題を解決するための手段】
【０００７】
上記の目的を達成するために、請求項１に記載の考案は、コンピューターとデーターの入出力を行うために、前記コンピューターのＵＳＢポートへ着脱自在に差し込む、ＵＳＢメモリーチップを内蔵したコネクターを備えたＵＳＢメモリー装置において、前記ＵＳＢメモリー装置は、前記コネクターと、前記コネクターと連結可能なレール部を取り付けた筺体とからなり、前記レール部は、平板部から伸びる、対向する一対の側面部同士には、それぞれ対向して前記側面部を貫通して、前記側面部の長手方向に沿って形成された案内溝を備え、該案内溝は前記側面部の長手方向に沿って伸びる摺動部と、該摺動部に前記側面部の長手方向を横断する方向で、前記摺動部のいずれか一方の端部側に前記摺動部に対して凸部状に形成された、前記摺動部と連続する第一係止部と、前記摺動部と連続して前記第一係止部と同じ側に前記摺動部に対して凸部状に形成された第二係止部と、からなり、前記レール部と連結可能な前記コネクターは、前記ＵＳＢポートに差し込む側の前記コネクターの前面部の端部を被い、前記コネクターの底板部に載る絶縁部材と、該絶縁部材に載るＵＳＢメモリーチップと、前記コネクターの側面部の、前記ＵＳＢメモリーチップの上面から離れて設けられた孔部に組み込まれ、前記コネクターの側面部から突出する、円筒状のピン部と、該ピン部の外径より大きく、前記ピン部の軸方向に沿う長さの中央に設けられたリング部と、前記ピン部を前記ピン部の軸方向に沿って移動させる、前記ピン部に当接して押圧を加えるばねと、該ばねと、前記ピン部の、前記ばねに当接して押圧を加えられる側を収納したパイプ部とを備え、前記コネクターの側面部同士の間で伸縮可能なばね性の棒部材と、前記ばね性の棒部材同士の間で前記ＵＳＢメモリーチップの上面に載り、前記ばね性の棒部材側では低くなる段差が形成された底面部と、該底面部に連続して前記底面部に対して傾斜する角度が変化してばね性の働きをなす側面部と、該側面部に連続して、押圧が加わることで前記ＵＳＢメモリーチップの上面に載った前記底面部に対して押圧を加える押圧面とを備えた押圧部材と、を備えており、前記コネクターの側面部の孔部から突出した前記ピン部を前記レール部の案内溝に組み込むことで、前記押圧部材の底面部が前記ＵＳＢメモリーチップ側に押圧を加え、前記押圧部材の押圧面が前記レール部の平板部に押圧を加えて、前記コネクターと前記レール部とが連結されることを特徴とする。
【０００８】
従って、請求項１に記載の考案によれば、ＵＳＢメモリー装置は、コネクターと、コネクターと連結可能なレール部を取り付けた筺体とからなり、レール部では、側面部に案内溝が形成され、案内溝は側面部の長手方向に沿って伸びる摺動部と、摺動部と連続する第一係止部及び第二係止部と、からなり、コネクターは、絶縁部材がコネクターの前面部の端部を被い、コネクターの底板部に載り、その絶縁部材にＵＳＢメモリーチップが載り、ＵＳＢメモリーチップの上面から離れて設けられた、コネクターの側面部の孔部に、コネクターの側面部同士の間で伸縮可能なばね性の棒部材が組み込まれ、ばね性の棒部材は、円筒状のピン部がコネクター側面部から突出し、ピン部の軸方向に沿う長さの中央にピン部の外径より大きいリング部が設けられ、パイプ部内に、ピン部に当接して押圧を加えるばねと、ピン部の、ばねに当接して押圧を加えられる側とを収納しており、また、押圧部材がばね性の棒部材同士の間でＵＳＢメモリーチップの上面に載り、押圧部材の底面部はばね性の棒部材側では低くなる段差が形成されており、その底面部に連続した側面部が底面部に対して傾斜する角度が変化し、その側面部に連続した押圧面が押圧が加わることでＵＳＢメモリーチップの上面に載った底面部に対して押圧を加え、コネクターの側面部の孔部から突出したピン部をレール部の案内溝に組み込むことでコネクターとレール部とが連結されているので、レール部に対してコネクターが移動するに際して、押圧部材による押圧が押圧部材の、押圧面及び底面部よりコネクター及びレール部に押圧を加え続け、ばね性の棒部材が第一係止部及ぶ第二係止部に係止（組み込まれた）際に安定した状態を維持することを可能にしている。
【０００９】
また、押圧部材の底面部に段差を設けることで、いずれかの底面部がばね性の棒部材とＵＳＢメモリーチップとの間に入り込み過ぎることを防止し、押圧面全面がレール部の平板部に当接可能にし、コネクターがレール部と連結された際に、押圧部材の押圧面がレール部の平板部に当接し、押圧部材の底面部がＵＳＢメモリーチップの表面（上面）に当接することで押圧部材からの均一な押圧がコネクター及びレール部に加わることを可能にしている。さらに、ばね性の棒部材がばねが内蔵されたパイプ部から伸びるピン部にリング部が形成されているので、ばね性の棒部材をコネクターから取り外す際にリング部に棒状部材等を当接する（押し当てる）ことで容易に取り外すことが可能になる。
【００１０】
また、請求項２に記載の考案は、請求項１に記載の構成に加え、前記レール部と前記コネクターとを連結して重ね合わせた際に、前記第一係止部及び前記第二係止部が前記摺動部より凸部状に前記コネクター側に形成されており、前記摺動部を摺動する、前記ばね性の棒部材の先端側のピン部は前記摺動部にあり、前記摺動部を前記ピン部が摺動することで前記レール部に対して前記コネクターが移動し、一方の、前記ばね性の棒部材の先端側のピン部が前記第一係止部に入り込み、同時に、他方の、前記ばね性の棒部材の先端側のピン部が前記第二係止部に入り込むことで、前記レール部に対して前記コネクターが安定した状態になることを特徴する。
【００１１】
従って、請求項２に記載の考案によれば、第一係止部及び第二係止部が摺動部より凸部状にコネクター側に形成されており、押圧部材による押圧が加わることで、コネクターとレール部は離れる方向に押圧が加わり、第一係止部及び第二係止部にばね性の棒部材が係止する（組み込まれる）ことで、レール部に対してコネクターが移動し難くなり、レール部に対してコネクターが安定した状態が実現可能になる。また、第一係止部と第二係止部との長さがばね性の棒部材同士の間の長さに対応しているため、二本のばね性の棒部材同士が同時に第一係止部と第二係止部とに係止する（組み込まれる）ことになり、複数箇所（二箇所）レール部に対するコネクターの位置決めを行っているため、さらにレール部に対してコネクターが安定した状態が実現可能になる。
【００１２】
さらに、請求項３に記載の考案は、請求項１又２に記載の構成に加え、連結された、前記レール部と前記コネクターとは、前記レール部の案内溝内の、前記コネクターのばね性の棒部材のピン部に、前記ばね性の棒部材の軸方向に沿って、押圧を加えることによって前記ばね性の棒部材のパイプ部内に前記ピン部を押し込むことで、前記ばね性の棒部材の長さを縮めることにより、前記レール部の案内溝内からピン部が外れることで前記レール部と前記コネクターとが分離されることを特徴とする。
【００１３】
従って、請求項３に記載の考案によれば、レール部とコネクターは案内溝と孔部を介してばね性の棒部材により連結されているため、ばね性の棒部材のピン部に、ばね性の棒部材の軸方向に沿って、押圧を加えることにより、ばね性の棒部材を縮める方向に移動することで（ピン部をパイプ部内に収納することで）ばね性の棒部材のピン部はレール部の案内溝及びコネクターの孔部から離れるため、レール部とコネクターとを分離することが可能になる。
【００１４】
また、請求項４に記載の考案は、請求項１乃至３のいずれかに記載の構成に加え、前記レール部の側面部の案内溝では、前記摺動部より凸部状に前記コネクターが連結される側に形成された、前記第一係止部及び前記第二係止部は、前記摺動部に連続して、前記摺動部に対して９０°以下の角度で伸びて形成されていることを特徴とする。
【００１５】
従って、請求項４に記載の考案によれば、第一係止部及び第二係止部は、摺動部に連続して、摺動部に対して９０°以下の角度で伸びて形成されているため、第一係止部と第二係止部とにばね性の棒部材同士が係止する（組み込まれる）ことで容易にはばね性の棒部材が第一係止部、第二係止部から外れ難くすることが可能になる。
【考案の効果】
【００１６】
本考案によれば、ＵＳＢメモリー装置内に予め格納されたＵＳＢメモリーチップを取り出し、別のＵＳＢメモリーチップに取り換えてＵＳＢメモリー装置を使用することができる。そのため、メモリー容量が小さいＵＳＢメモリー装置全体を廃棄することなく、ＵＳＢメモリーチップを交換したＵＳＢメモリー装置を使用することができる。つまり、ＵＳＢメモリー装置の筺体をそのままの状態でＵＳＢメモリーチップだけを新しくして、機能的には、新しいＵＳＢメモリー装置として使用することができる。また、ＵＳＢメモリーチップの交換に際して、ばね性の棒部材を用いてのＵＳＢメモリーチップを内蔵したコネクターの移動と、ばね性の棒部材の伸縮による筺体に取り付けられたレール部とのコネクターの着脱を行うため、簡易な機構でしかも容易にＵＳＢメモリーチップの交換を行うことができる。
【図面の簡単な説明】
【００１７】
【図１】本考案であるＵＳＢメモリー装置の概略を示す説明図である。
【図２】本考案であるＵＳＢメモリー装置のレール部を示す説明図である。（ａ）は、レール部の概略を示す説明図である。（ｂ）は、レール部の側面部の詳細を示す説明図である。
【図３】レール部が被さるコネクターを示す斜視図である。
【図４】コネクターと、コネクターに組み込まれる絶縁部材とを示す説明図である。（ａ）は、コネクターに組み込まれる絶縁部材の全体を示す説明図である。（ｂ）は、コネクターに絶縁部材が組み込まれた状態を示す説明図である。（ｃ）は、（ｂ）のＤ−Ｄ線に沿う断面方向からコネクターへの絶縁部材の組み込みを示す説明図である。
【図５】コネクター内における、ＵＳＢメモリーチップの状態を示す説明図である。（ａ）は、コネクター内に組み込まれる、ＵＳＢメモリーチップの全体を示す説明図である。（ｂ）は、絶縁部材が組み込まれたコネクター内にＵＳＢメモリーチップを組み込んだ状態を示す説明図である。（ｃ）は、（ｂ）のＸ−Ｘ線に沿う断面方向からコネクター内の絶縁部材及びＵＳＢメモリーチップを組み込んだ状態を示す説明図である。
【図６】コネクターに組み込まれるばね性の棒部材の全体を示す説明図である。（ａ）は、ばね性の棒部材のピン部が最も飛び出した状態を示す説明図である。（ｂ）は、ばね性の棒部材のピン部が最も押し込まれた状態を示す説明図である。
【図７】コネクターに絶縁部材及びＵＳＢメモリーチップを組み込んだ後にばね性の棒部材を組み込んだ状態を示す説明図である。（ａ）は、コネクターの孔部に組み込まれたばね性の棒部材の状態を示す説明図である。（ｂ）は、（ａ）のＹ−Ｙ線に沿う断面方向からばね性の棒部材のコネクターの孔部への組み込みを示す説明図である。
【図８】押圧部材と押圧部材のコネクターへの組み込みを示す説明図である。（ａ）は、コネクターに組み込まれる押圧部材の全体を示す説明図である。（ｂ）は、コネクター内で押圧部材が支持される状態と押圧部材に押圧が加わった際の変形を示す説明図である。（ｃ）は、押圧部材がコネクター内に組み込まれた状態を示す説明図である。
【図９】筺体に取り付けられたＵＳＢメモリー装置の、レール部とコネクターとの状態を示す説明図である。（ａ）は、レール部に対してコネクターが移動する前の状態を示す説明図である。（ｂ）は、レール部に対してコネクターが移動した後の状態を示す説明図である。
【図１０】コネクターから各部材を取り外した状態を示す説明図である。（ａ）は、レール部から取り外したコネクターの状態を示す説明図である。（ｂ）は、押圧部材を取り外したコネクターの状態を示す説明図である。（ｃ）は、ばね性の棒部材を取り外したコネクターの状態を示す説明図である。（ｄ）は、ＵＳＢメモリーチップを取り外したコネクターの状態を示す説明図である。
【図１１】ばね性の棒部材の取り外し方を示す説明図である。（ａ）は、ばね性の棒部材の一方のピン部側のリング部に棒状部材を当接した状態を示す説明図である。（ｂ）は、（ａ）の状態からリング部に押圧を加えてリング部をばね性の棒部材の軸方向に沿って移動してパイプ部の一端に当接させた状態を示す説明図である。（ｃ）は、ばね性の棒部材の他方のピン部側のリング部同士の間に棒状部材を差し込んでばね性の棒部材の軸方向に沿って移動させている状態を示す説明図である。
【図１２】特許文献１における、パーソナルコンピューターとＵＳＢメモリー装置を示す説明図である。（ａ）は、パーソナルコンピューターのスロットとそのスロットに挿入されるＵＳＢメモリー装置を示す説明図である。（ｂ）は、ＵＳＢメモリー装置の全体の構成を示す説明図である。
【考案を実施するための形態】
【００１８】
以下、本考案を実施するための形態について図面を参照して説明する。
【００１９】
本考案のＵＳＢメモリー装置１は、図１に示すように、連結することで直方体状の形状になる、レール部２とコネクター３と、そのレール部２とコネクター３とを収納した筺体１０とから形成されている。ＵＳＢメモリー装置１では、筺体１０の、凹部１０ａが形成された一方の面部からコネクター３が出ているが、コネクター３を一方の面部から出ない形態とすることも可能である。そして、このＵＳＢメモリー装置１における、レール部２とコネクター３との連結は、コネクター３にレール部２を被せることで行われている。レール部２は、金属製であり、板状の部材である平板部２１と平板部２１に対して垂直に伸びる、板状の部材である側面部２２、２２とで構成されている。つまり、レール部２は、平板部２１の四辺のうち対向する一対の二辺（辺部２１１）から平板部２１に対して垂直に平板状の側面部２２、２２が形成されて、断面略コ字状の形状をなしている。
【００２０】
平板部２１に対して側面部２２、２２を溶接することで、平板部２１に対して側面部２２、２２を垂直に連結して、レール部２を断面略コ字状の形状にすることも可能であるが、本例では、平板部２１及び側面部２２、２２を合わせた形状で切り取られた一枚の板状の部材を折り曲げることで（平板部２１に対して側面部２２、２２を垂直に折り曲げることで）レール部２を断面略コ字状の形状としている。また、レール部２は、図２（ａ）に示すように、側面部２２、２２に案内溝２３、２３が形成されている。案内溝２３は、側面部２２、２２を貫通して形成されており、互いに対向して同じ形になっている。案内溝２３は、図２（ｂ）に示すように、側面部２２、２２の長手方向に沿って、側面部２２、２２の辺部２１１、２２１に対して平行に形成されている。そして、案内溝２３は、側面部２２の長手方向の長さに比べ若干短い長さになっている。
【００２１】
案内溝２３は、図２（ｂ）に示すように、側面部２２を貫通して、側面部２２の長手方向に沿って伸びる、摺動部２３１と、摺動部２３１から伸びる係止部（第一係止部２３２、第二係止部２３３）とから形成されている。第一係止部２３２は、摺動部２３１の長手方向に沿う、一方の端部２３ａ側に側面部２２（摺動部２３１）の長手方向を横断する方向で、摺動部２３１に対して凸部状に形成されている。具体的には、第一係止部２３２は摺動部２３１に連続して、摺動部２３１に対して角度α方向で辺部２２１（コネクター３が連結される側）に向かって伸びて形成されている。本例では、角度αは６０°であるが、特に角度αは６０°に限定されることなく９０°以下の角度であればよい。また、第二係止部２３３は、摺動部２３１の長手方向に沿う、中央に第一係止部２３２と同じ側に摺動部２３１に対して凸部状に形成されている。具体的には、第二係止部２３３は摺動部２３１に連続して、摺動部２３１に対して角度α方向で辺部２２１（コネクター３が連結される側）に向かって伸びて形成されている。
【００２２】
本例では、角度αは６０°であるが、特に角度αは６０°に限定されることなく９０°以下の角度であればよい。そして、摺動部２３１は第二係止部２３３から側面部２２の長手方向に沿って他方の端部２３ｂへ伸びている。そのため、第一係止部２３２、第二係止部２３３は、レール部２とコネクター３とを重ね合わせた際に（レール部２とコネクター３とを連結した際に）、摺動部２３１より凸部状にコネクター３側に形成されている。さらに、案内溝２３の溝幅は、摺動部２３１では、図２（ｂ）に示すように、側面部２２の幅Ｗ１の１／３以下の溝幅であるＷ２となっている。また、第一係止部２３２及び第二係止部２３３は摺動部２３１の溝幅Ｗ２より狭くなっている。以上がレール部２の構成である。
【００２３】
つぎに、レール部２を被せるコネクター３も、レール部２と同様に、金属製であり、板状の部材より形成されている。コネクター３は、図３に示すように、レール部２が被うことができる直方体状の箱型の形状をなしており、レール部２を被せた際に、レール部２の平板部２１は開口３５と対向することになる。つまり、コネクター３は、底板部３１と、底板部３１の四辺（辺部３１１）から底板部３１に対して垂直に平板状の側面部３２、３３が同方向に形成されて、底板部３１と対向する部材は形成されていない。そして、一方の側面部３２、３２同士は、同じ高さで形成されており（辺部３１１から辺部３２１までの長さが同じに形成されており）、辺部３２１側には側面部３２を貫通する孔部３２２が二箇所に形成されており、対向する側面部３２にも同じく孔部３２２が対向して形成されている。側面部３２、３２に形成された一組の孔部３２２、３２２は、図３に示すように、側面部３２の中央に形成されており、側面部３２、３２に形成されたもう一組の孔部３２２、３２２は、側面部３２の端部よりに形成されている。これら孔部３２２、３２２の位置は、コネクターに被せられるレール部２の案内溝２３の第一係止部２３２、第二係止部２３３と対応しており、つまり、コネクター３の側面部３２における、孔部３２２、３２２同士の長さと、レール部２の側面部２２における、第一係止部２３２と第二係止部２３３との間の長さとが同じ長さになっている。
【００２４】
そして、側面部３２、３２と交差する方向にある側面部３３、３４は、側面部３２より低く形成されている。つまり、側面部３２の、辺部３１１から辺部３２１までの長さに対して、側面部３３の、辺部３１１から辺部３３１までの長さ及び側面部３４の、辺部３１１から辺部３４１までの長さのいずれもが短く形成されている。そして、本例においては、図３に示すように、側面部３３と側面部３４とでは、側面部３３の方が低く形成されている（側面部３３の、辺部３１１から辺部３３１までの長さが側面部３４の、辺部３１１から辺部３４１までの長さよりも短く形成されている）。さらに、側面部３３は側面部３２、３２の半分の高さに形成されている（側面部３３の、辺部３１１から辺部３３１までの長さが側面部３２の、辺部３１１から辺部３２１までの長さの半分となっている）。以上のようにして、底板部３１に形成される側面部３２、３３、３４は、底板部３１にそれぞれ側面部３２、３３、３４を溶接することで底板部３１に対して垂直に形成することも可能であるが、本例では、予め底板部３１及び側面部３２、３３、３４を合わせた形状で切り取られた一枚の板状の部材を折り曲げて（平板部２１に対して側面部２２、２２を垂直に折り曲げて）、側面部３２、３３、３４同士を溶接することでコネクター２を形成している。
【００２５】
このコネクター３には、絶縁部材４が組み込まれることになる。絶縁部材４は、樹脂製の板状の部材であり、本例では長方形の形状をなしており、図４に示すように、断面略Ｌ字状の形状に折り曲げられた形状をなしており、絶縁部材４の幅Ｗａはコネクター３の底板部３１に収まる大きさになっている。具体的には、絶縁部材４は、絶縁部材４の、平板部４１と平板部４２とは垂直に折り曲げられて形成されている。そして、絶縁部材４の、コネクター３の底板部３１に載る平板部４１は、絶縁部材４の、コネクター３の前面部である側面部３３に沿うことになる平板部４２より長く形成されており（図４（ａ）参照）、コネクター３の底板部３１全面を被う大きさになっている。また、平板部４２の、平板部４１側とは反対側の端部側では、平板部４１と反対側に平板部４２に対して垂直に折り返し部４３が形成されている。折り返し部４３は、図４（ａ）に示すように、平板部４２の一部を折り曲げることで形成されている。そして、絶縁部材４をコネクター３に組み込むと、図４（ｂ）に示すように、絶縁部材４の平板部４１がコネクター３の底板部３１に載り、絶縁部材４の平板部４２がコネクター３の側面部（前面部）３３に沿い（当接し）、絶縁部材４の折り返し部４３が側面部３３の辺部（端部）３３１に載ることになる。詳細については、図４（ｃ）に示すように、コネクター３の、底板部３１と側面部３３とに沿って、絶縁部材４の、平板部４１と平板部４２とが載り、絶縁部材４の折り返し部４３が側面部３３の辺部（端部）３３１に載ることで、折り返し部４３が側面部３３の辺部（端部）３３１を被うことになる。このように、折り返し部４３が側面部３３の辺部（端部）３３１を被うことで、ＵＳＢメモリー装置１のコネクター３をコンピューターのＵＳＢポートへ挿入する際等においてコネクター３の側面部３３の辺部（端部）３３１がコンピューターと直接的な接触を防止することになる。
【００２６】
つぎに、コネクター３の中にチップオンボード型（Chip On Board type)のＵＳＢメモリーチップ５を組み込むことになる。ＵＳＢメモリーチップ５は、図５（ａ）に示すように、直方体状の形状をなしており、表面（上面）５１に複数のパターン（ＵＳＢ端子）５５が形成されており、内部に記憶媒体が格納されている。コネクター３への組込に際しては、図５（ｂ）に示すように、ＵＳＢメモリーチップ５のパターン５５が形成されている側の側面５４を絶縁部材４の平板部４１と対向させ、ＵＳＢメモリーチップ５の底面（下面）５２を絶縁部材４の平板部４１と対向させて、ＵＳＢメモリーチップ５をコネクター内３に組み込む。ＵＳＢメモリーチップ５をコネクター３に組み込むと、図５（ｃ）に示すように、ＵＳＢメモリーチップ５の底面５２は絶縁部材４の平板部４１に載り、ＵＳＢメモリーチップ５がコネクター３の底板部３１より底上げされた状態になる。
【００２７】
ＵＳＢメモリーチップ５を組み込んだ状態でコネクター３の二対の孔部３２２、３２２にばね性の棒部材６を組み込むことになる。ばね性の棒部材６は、図６に示すように、ピン部６２がばね力によりパイプ部６１内に押し込められたり、飛び出したりする機構になっている。本例でのばね性の棒部材６では、パイプ部６１内にばね６３が組み込まれて、パイプ部６１の長手方向に沿って、ばね６３が伸縮可能になっている。このパイプ部６１の両端側には、パイプ部６１より径が小さいピン部６２、６２がパイプ部６１から抜けないでパイプ部６１の軸方向に沿って移動可能に組み込まれている。つまり、ピン部６２、６２の一部がパイプ部６１内に入ったり、パイプ部６１外に出たりすることになる。そのため、ばね６３により、パイプ部６１の両端側に設けられたピン部６２、６２に押圧を加えた状態になっており、外部より力が加わらない限りピン部６２、６２はパイプ部６１より最も飛び出した状態となる（図６（ａ）参照）。そして、ピン部６２、６２には、図６に示すように、リング部６２１、６２２が形成されている。本例においては、一方のピン部６２では、一方のピン部６２の中央にリング部６２１が形成されており、他方のピン部６２では、他方のピン部６２の中央にリング部６２１、６２２が形成されている。リング部６２１、６２２との間には、隙間６２３が設けられている。そして、ピン部６２、６２にばね性の棒部材６の軸方向（矢印Ｚ方向）に沿って押圧を加えると（パイプ部６１の長手方向（軸方向）に沿ってピン部６２、６２がパイプ部６１内へ押し込まれて）、ばね性の棒部材６は長手方向（軸方向）に沿って縮んだ状態になり、ピン部６２、６２のリング部６２１、６２１がパイプ部６１両端側に当接したときがばね性の棒部材６が最も短くなった状態となる（図６（ｂ）参照）。
【００２８】
そして、ばね性の棒部材６を、図７（ａ）に示すように、ばね性の棒部材６の長手方向（軸方向）から押圧を加えてばね性の棒部材６を縮めて（ピン部６２、６２をパイプ部６１内に押し込んで）コネクター３の孔部３２２、３２２へ組み込む。本例では、二本のばね性の棒部材６がそれぞれコネクター３の側面部３２、３２に設けられた二対の孔部３２２、３２２に組み込まれている。ばね性の棒部材６は孔部３２２、３２２に組み込むことで、図７（ａ）に示すように、ばね性の棒部材６のピン部６２がパイプ部６１内のばね６３からの押圧によりパイプ部６１から押し出され、コネクター３の孔部３２２、３２２でピン部６２が支持される。具体的には、図７（ｂ）に示すように、パイプ部６１から押し出されたピン部６２、６２がコネクター３の孔部３２２、３２２で支持されるとともに、一方のピン部６２側では、リング部６２１が側面部３２に当接し、他方のピン部６２側では、リング部６２２が側面部３２に当接することになる。そして、ピン部６２同士の間には、押圧部材７が組み込まれる。押圧部材７は、樹脂製の板状の部材であり、図８に示すように、樹脂製の板状の部材を折り曲げて平面状の押圧面７１を形成してある。
【００２９】
具体的には、図８（ａ）に示すように、押圧面７１が平行移動できるように押圧面７１より伸びる側面部７２、７２を押圧面７１に対して鋭角（角度β）で折り曲げて形成しており、さらに側面部７２、７２より伸びる底面部７３、７３を側面部７２、７２に対して鋭角（角度γ）で折り曲げて形成している。また、底面部７３、７３では、段差７４が形成されており、底面部７３、７３の側面部７２、７２と反対側の端部側が低くなっている（図８（ｂ）参照）。つまり、押圧部材７がコネクター３内に組み込まれると、底面部７３では、ばね性の棒部材６側では低くなるように段差７４が形成されている。なお、本例では、角度βと角度γとが異なる角度となっているが、角度βと角度γとを同じ角度にすることも可能である。押圧面７１の移動は、図８（ｂ）に示すように、押圧面７１に矢印方向より押圧を加えることで、側面部７２、７２が底面部７３、７３側に傾くことで押圧面７１は矢印方向へ移動する。つまり、押圧部材７が組み込まれたコネクター３にレール部２を被せることで、押圧部材７の押圧面７１がレール部２の平板部２１に当接して、押圧面７１に押圧が加えられた状態になり、図８（ｂ）の点線で示す状態になり（側面部７２、７２が押圧面７１、底面部７３に対して傾斜する角度が変化することにより）、押圧面７１からレール部２の平板部２１へ押圧を加えた状態になる。そして、押圧面７１がＵＳＢメモリーチップ５の表面（上面）５に載った底面部７３、７３対して押圧を加えることになる。この側面部７２、７２は、樹脂製の部材であることから弾力性を備えることになり、実質的にはばねとしての働き（ばね性の働き）をなしている。
【００３０】
そして、以上の構成の押圧部材７のコネクター３内への組み込みに際しては、図８（ｂ）に示すように、押圧部材７の底面部７３、７３をばね性の棒部材６のパイプ部６１とＵＳＢメモリーチップ５の表面５１との間に入れて、押圧部材７を配置することになる。押圧部材７の配置に際して、押圧部材７の底面部７３、７３に段差７４、７４が形成されているために、ばね性の棒部材６とＵＳＢメモリーチップ５の表面５１との間に押圧部材７の底面部７３、７３が入り込み過ぎることを防止できる。つまり、押圧部材７の底面部７３、７３の段差７４、７４がばね性の棒部材６のパイプ部６１と当接することで押圧部材７の底面部７３、７３が必要以上、ばね性の棒部材６とＵＳＢメモリーチップ５との間に入り込み過ぎて押圧部材７の押圧面７１がＵＳＢメモリーチップ５の表面５１と平行にならずに傾斜することを防止している。そのため、いずれか一方の底面部７３のばね性の棒部材６とＵＳＢメモリーチップ５の表面５１との間入り込み過ぎによる押圧部材７の押圧面７１のＵＳＢメモリーチップ５の表面５１に対する傾斜を防止することで押圧面７１のＵＳＢメモリーチップ５の表面５１に対する平行を実現することが可能になる。このようにして、押圧部材７をコネクター３内に組み込むことで、図８（ｃ）に示すように、押圧部材７がコネクター３より突出した状態となり、押圧部材７の位置決めはばね性の棒部材６、６のばね性の棒部材６、６により行われている。以上のように、コネクター３内に、絶縁部材４、ＵＳＢメモリーチップ５、二本のばね性の棒部材６、及び押圧部材７を組み込んだ後にコネクター３にレール部２を被せる。レール部２の平板部２１を押圧部材７の押圧面７１に当接させて押圧面７１に押圧を加える。
【００３１】
そして、コネクター３の孔部３２２、３２２より飛び出た、二本のばね性の棒部材６のピン部６２、６２に対して、ばね性の棒部材６の長手方向に沿って、ピン部６２、６２をパイプ部６１内へ押し込む方向に押圧を加える。押圧の加え方は特に限定されないが、本例では、図示しない棒状部材を側面部３４、３４から突出するピン部６２、６２に押し当てる。このように図示しない棒状部材をピン部６２、６２に押し当てることで、ピン部６２、６２をパイプ部６１内へ押し込むことで（ピン部６２、６２が側面部３４、３４の孔部３２２、３２２に入り込むことで）、コネクター３の側面部３４、３４から突出した部分がなくなり、レール部２の側面部２２、２２がコネクター３の側面部３４、３４を被う。レール部２の側面部２２、２２をコネクター３の側面部３４、３４に沿って移動し、レール部２の側面部２２、２２の案内溝２３がコネクター３の側面部３４、３４の孔部３２２、３２２（ピン部６２、６２）と重なるとピン部６２、６２はパイプ部６１内のばね６３からの押圧によりコネクター３の側面部３４、３４から突出する（案内溝２３、２３を横断する方向に伸びる）（図１参照）。
【００３２】
以上のようにしてレール部２とコネクター３とを重ね合わせて、レール部２とコネクター３とを連結することでＵＳＢメモリー装置１が完成する。また、このＵＳＢメモリー装置１は、図９に示すように、基本的に筺体１０に取り付けられており、ＵＳＢメモリー装置１のレール部２が筺体１０に一体化して連結されている。具体的には、筺体１０の一方の面部に凹部１０ａを設け、凹部１０ａ内にレール部２を組み込み、接着剤等によりレール部２を凹部１０ａ内に固定することでレール部２が筺体１０に一体化して連結されている。そして、レール部２にコネクター３が連結されている。以下では、図示しないパーソナルコンピューターのスロット（ＵＳＢポート）に挿入（差し込み）するＵＳＢメモリー装置１における、ＵＳＢメモリーチップ５の交換工程について説明する。
【００３３】
図示しないパーソナルコンピューターのスロット（ＵＳＢポート）に挿入（差し込み）前の状態にあるＵＳＢメモリー装置１では、図９（ａ）に示すように、ばね性の棒部材６のピン部６２、６２はレール部２の側面部２２の案内溝２３の摺動部２３１内にある。具体的には、一方のピン部６２は、案内溝２３の摺動部２３１内の第二係止部２３３の近傍で案内溝２３の一方の端部２３ａ側にあり、他方のピン部６２は、案内溝２３の他方の端部２３ｂ側にある。つまり、図９（ａ）では、連結された、レール部２とコネクター３とが重ね合わされた状態になっている。この状態でコネクター３を矢印Ａ方向へ引き出す。コネクター３に組み込まれたばね性の棒部材６、６のピン部６２、６２がレール部２の案内溝２３、２３の摺動部２３１を矢印Ａ方向へ移動する。その際、押圧部材７（の押圧面７１）により、コネクター３のＵＳＢメモリーチップ５側に押圧が加えられた状態にあり、また、押圧部材７（の底面部７３）により、レール部２の平板部２１側には、押圧が加えられた状態が維持されている。そして、一方のピン部６２は、案内溝２３の一方の端部２３ａ側に到達すると、押圧部材７の押圧がコネクター３側にも働いていることにより、一方のピン部６２は摺動部２３１内の第一係止部２３２に入り込み、同時に、他方のピン部６２は、案内溝２３の摺動部２３１の第二係止部２３３に到達し第二係止部２３３に入り込む（図９（ｂ）参照）。その結果、レール部２に対して移動可能であったコネクター３がレール部２に対して安定した状態（保持された状態）になる。
【００３４】
そして、図９（ｂ）に示すように、レール部２に対してコネクター３を移動させた状態（安定した状態）で、矢印Ｚ方向よりピン部６２、６２をパイプ部６１内に押し込む。図示しない側面部２２、３２側のピン部６２、６２についても同様に、パイプ部６１内に押し込む。本例では、図示していないが、ピン部６２をパイプ部６１に押し込むために、レール部３の側面部２２の長手方向に沿う、棒状の部材でそれぞれの側面部２２、２２から突出したピン部６２、６２に同時に押圧を加える。この場合、ピン部６２、６２は、筺体１０内にあるため、一般的には、矢印Ｚ方向から押圧を加えることは難しいため、図示しない、レール部２の側面部２２、２２とコネクター３の側面部３２、３２との間の隙間へ、図示しない平板状の部材を挿入してピン部６２、６２に当接し押圧を加えながら、ばね性の棒部材６、６の軸方向に沿って（矢印Ｚ方向に沿って）ピン部６２、６２をパイプ部６１内に押し込むこともある。そのため、それぞれの側面部２２、２２から突出したピン部６２、６２は、パイプ部６１、６１内に押し込まれ、レール部２とコネクター３とを連結していたピン部６２、６２がレール部２（の案内溝２３）から外れる。その結果、レール部２からコネクター３が分離することになる。レール部３から分離したコネクター３内には、図１０（ａ）に示すように、押圧部材７、その押圧部材７を挟み込んだ二本のばね性の棒部材６、６、ばね性の棒部材６、６とコネクター３の底板部３１との間にあるＵＳＢメモリーチップ５、ＵＳＢメモリーチップ５とコネクター３の側面部３３を含めた底板部３１との間にある絶縁部材４が収納されている。
【００３５】
この状態から、まず押圧部材７を外す。押圧部材７は、ばね性の棒部材６、６のパイプ部６１、６１とＵＳＢメモリーチップ５との間にある底面部７３、７３を押圧部材７の柔軟性を利用して引き出すことでコネクター３から外す（図１０（ｂ）参照）。つぎに、ばね性の棒部材６、６を外す。ばね性の棒部材６、６の取り外しに際しては、コネクター３をレール部２から分離したときと同じように、図示しない棒状の部材でそれぞれの側面部３２、３２から突出したピン部６２、６２に同時に押圧を加え、ピン部６２、６２をパイプ部６１、６１内に押し込める。さらに、ばね性の棒部材６が外し難いときには、一方の側面部３２に図示しない棒状の部材を当接させて、突出したピン部６２、６２を一方の側面部３２と同一平面となるような状態にし、他方の側面部３２のピン部６２を別の細い棒状の部材で押し（矢印Ｚ方向に沿って押し）、ピン部６２を孔部３２２内へ押し込むことでばね性の棒部材６を外すことになる（図１０（ｃ）参照）。
【００３６】
図１０（ｃ）に示すように、ばね性の棒部材６、６をコネクター３から外すことでコネクター３の開口３５側には、ＵＳＢメモリーチップ５となる。そのため、コネクター３からＵＳＢメモリーチップ５を外すこと可能になる。コネクター３からのＵＳＢメモリーチップ５の取り外しに際しては、絶縁部材４の折り返し部４３を開口３５側へ起こすことでＵＳＢメモリーチップ５を起こしたり、コネクター３を裏返しにしたりしてコネクター３からＵＳＢメモリーチップ５を出す（図１０（ｄ）参照）。コネクター３よりＵＳＢメモリーチップ５を出すと、図１０（ｄ）に示すように、コネクター３内には、絶縁部材５が側面部３３から底板部３１にかけて組み込まれている。そして、本例においては、既に組み込まれているＵＳＢメモリーチップ５よりもデータ容量（記憶容量）が大きい、新たなＵＳＢメモリーチップ５を組み込む。
【００３７】
新たなＵＳＢメモリーチップ５のコネクター３への組み込みでは、図１０（ｃ）に示すように、パターン５５を絶縁部材４の折り返し部４３側へ向けてコネクター３内に組み込む。そして、ばね性の棒部材６、６を、図１０（ｂ）に示すように、コネクター３の側面部３２、３２の孔部３２２、３２２へ組み込む。ばね性の棒部材６、６の組み込みに際しては、ばね性の棒部材６、６の一方のピン部６２、６２を先にコネクター３の、一方の側面部３２の孔部３２２、３２２に組み込み、他方のピン部６２、６２をパイプ部６１内へ押し込んだ状態で、他方の側面部３２の孔部３２２、３２２の位置に合わせ、他方のピン部６２、６２を他方の側面部３２の孔部３２２、３２２に組み込む。或いは、ばね性の棒部材６の両端側のピン部６２、６２をパイプ部６１内に押し込んだ状態で側面部３２、３２の孔部３２２、３２２の位置に合わせてピン部６２、６２を側面部３２、３２の孔部３２２、３２２に組み込む。そして、押圧部材７を、図１０（ａ）に示すように、ＵＳＢメモリーチップ５上のばね性の棒部材６、６の間に組み込む。押圧部材７は、樹脂製の部材である柔軟性を利用して底面部７３、７３をばね性の棒部材６、６のパイプ部６１、６１とＵＳＢメモリーチップ５との間に入れることで押圧部材７の組み込みが完了する。
【００３８】
そして、図１０（ａ）に示すように、矢印Ｚ方向より、ばね性の棒部材６、６の両端側のピン部６２、６２をパイプ部６１内に押し込んで筺体１０側のレール部２の側面部２２、２２の案内溝２３の位置に合わせる。このときも、図示しない、レール部２の側面部２２、２２とコネクター３の側面部３２、３２との間の隙間へ、図示しない平板状の部材を挿入してピン部６２、６２に当接し押圧を加えながら、ばね性の棒部材６、６の軸方向に沿って（矢印Ｚ方向に沿って）ピン部６２、６２をパイプ部６１内に押し込むことも可能である。その際、ピン部６２、６２をパイプ部６１内に押し込んでいる押圧を解除することでピン部６２、６２は案内溝２３内に組み込まれる（図９（ｂ）参照）。本例では、ばね性の棒部材６、６のピン部６２、６２をそれぞれ第一係止部２３２、第二係止部２３３に組み込んでいるが、必ずしもそれぞれ第一係止部２３２、第二係止部２３３に組み込む必要はなく、摺動部２３１に組み込むことであってもよい。以上のようにして、ＵＳＢメモリーチップ５の交換を行う。そして、図示しないパーソナルコンピューター等とＵＳＢメモリー装置１との間でデーターの入出力を行う場合に、ばね性の棒部材６、６のピン部６２、６２をそれぞれ第一係止部２３２、第二係止部２３３に組み込んであれば、コネクター３をそのままパーソナルコンピューター等のスロット（ＵＳＢポート）に挿入することになる。また、ばね性の棒部材６、６のピン部６２、６２が摺動部２３１内に組み込まれていれば、ピン部６２、６２を矢印Ａ方向へ摺動させて、ピン部６２、６２をそれぞれ第一係止部２３２、第二係止部２３３に係止させて安定した状態にしてＵＳＢメモリー装置１のコネクター３を、図示しないパーソナルコンピューター等のスロット（ＵＳＢポート）に挿入し、図示しないパーソナルコンピューター等とＵＳＢメモリー装置１との間でデータの入出力を行うことになる。
【００３９】
なお、図９（ｂ）における、本例での、ばね性の棒部材６の取り外し方の一例を図１１に示してある。本例でのばね性の棒部材６は、図６に示すように、ピン部６２とリング部６２１、６２２を備えているため、コネクター３への取り外し、及び組み込みが容易に行える。図９（ｂ）に示すように、レール部２とコネクター３とが開いた状態になると、第一係止部２３２に係止した（組み込まれた）、ばね性の棒部材６を覗くことができ、ばね性の棒部材６は、図１１（ａ）に示すように、リング部６２１、６２２がコネクター３の側面部３２に当接した状態にある。コネクター３の側面部３２に当接したリング部６２１に棒状部材１１を当接させる。そして、棒状部材１１によりリング部６２１に押圧を加えて、リング部６２１をばね性の棒部材６の軸方向に沿って（矢印Ｂ方向に沿って）移動させる。その結果、リング部６２１が設けられたピン部６２も同方向移動する。そして、ピン部６２は、コネクター３の側面部３２の孔部３２２から抜け出し、ばね性の棒部材６がコネクター３から外せる状態になる（図１１（ｂ）参照）。結果しては、図９（ｂ）に示す矢印Ｚ方向から押圧を加えたのと同じ状態になる。また、図１１（ｂ）ではリング部６２１をパイプ部６１の一端に当接させた状態が示されているが、必ずしもリング部６２１をパイプ部６１の一端に当接させる必要はなく、ばね性の棒部材６がコネクター３から外せる状態（ピン部６２がコネクター３の側面部３２の孔部３２２から抜け出した状態）が実現できればよい。例えば、図１１（ｂ）に示す矢印Ｂ方向に沿って移動させる際に、ピン部６２の付け根であるピン部６２とリング部６２１との境目に棒状部材１１を当接させて移動させてばね性の棒部材６がコネクター３から外せる状態を実現することも可能である。
【００４０】
さらに、ばね性の棒部材６の取り外しに際しては、一方のピン部６２側のリング部６２１だけではなく、他方のピン部６２のリング部６２１、６２２に棒状部材１１を当接させることでもばね性の棒部材６を取り外すことが可能である。この場合、例えば、リング部６２１、６２２の間の隙間６２３に棒状部材１１を差し込み、リング部６２１、６２２をばね性の棒部材６の軸方向に沿って（矢印Ｃ方向に沿って）移動させる。その結果、リング部６２１、６２２が設けられたピン部６２も同方向移動する。そして、ピン部６２は、コネクター３の側面部３２の孔部３２２から抜け出し、ばね性の棒部材６がコネクター３から外せる状態になる（図１１（ｃ）参照）。この場合にも、結果しては、図９（ｂ）に示す矢印Ｚ方向から押圧を加えたのと同じ状態になる。以上のようにして、第一係止部２３２に係止した（組み込まれた）、ばね性の棒部材６をコネクター３の孔部３２２から抜け出させるとともに、レール部２の案内溝２３からも抜け出させる。そして、第一係止部２３２に係止した（組み込まれた）、ばね性の棒部材６をＵＳＢメモリー装置１から取り外す。第一係止部２３２に係止した（組み込まれた）、ばね性の棒部材６を取り外した後に、コネクター３をはレール部２側に押し上げて、第二係止部２３３に係止した（組み込まれた）、ばね性の棒部材６を摺動部２３１に沿って（矢印Ａ方向に沿って）移動させ、第一係止部２３２に係止する（組み込む）。この状態になると、押圧部材７がレール部２から出ることになる。押圧部材７の、ばね性の棒部材６のパイプ部６１とＵＳＢメモリーチップ５との間にある底面部７３を押圧部材７の柔軟性を利用して引き出すことでコネクター３から外す。
【００４１】
そして、残りのばね性の棒部材６についても、棒状部材１１を用いて、リング部６２１、６２２に当接してピン部６２を矢印Ｂ方向、或いは矢印Ｃ方向へ移動することにより、残りのばね性の棒部材６をＵＳＢメモリー装置１から取り外す。その結果、コネクター３とレール部２との連結した状態からコネクター３とレール部２とを分離した状態になる。その後、ＵＳＢメモリーチップ５を取り外し、図１０に示すように、コネクター３内に新たなＵＳＢメモリーチップ５を組み込み、ばね性の棒部材６を組み込み、押圧部材７をＵＳＢメモリーチップ５の表面（上面）５のばね性の棒部材６、６同士の間に配置し、コネクター３をレール部２と連結する。連結に際しては、ばね性の棒部材６のリング部６２１、６２２に棒状部材１１を当接させて矢印Ｂ方向、或いは矢印Ｃ方向へ移動することでコネクター３とレール部２とを連結する。
【００４２】
なお、筺体１０は、本例においては、図１に示すように、直方体の形状をなしているが、ＵＳＢメモリー装置１を収納して取り付けることが可能であれば、特に筺体１０は直方体の形状に限定されることはない。つまり、筺体１０にＵＳＢメモリー装置１のコネクター３が突出するための端面１０ｂが形成されていれば、筺体１０としての形状については特に限定されない。
【符号の説明】
【００４３】
１…ＵＳＢメモリー装置
２…レール部、２１…平板部、２１１…辺部、２２…側面部、２２１…辺部
２３…案内溝、２３ａ、２３ｂ…端部、２３１…摺動部、２３２…第一係止部、２３３…第二係止部
３…コネクター、３１…底板部、３１１、３２１、３３１、３４１…辺部（端部）、３２、３３、３４…側面部、３２２…孔部、３５…開口
２３…案内溝、２３ａ、２３ｂ…端部、２３１…摺動部、２３２…第一係止部、２３３…第二係止部
４…絶縁部材、４１、４２…平板部、４３…折り返し部、
５…ＵＳＢメモリーチップ、５１…表面（上面）、５２…底面（下面）、５３、５４…側面、５５…パターン（ＵＳＢ端子）
６…ばね性の棒部材、６１…パイプ部、６２…ピン部、６３…ばね、６２１、６２２…リング部、６２３…隙間
７…押圧部材、７１…押圧面、７２…側面部、７３…底面部、７４…段差
１０…筺体、１０ａ…凹部、１０ｂ…端面
１１…棒状部材
【図１】
0003164065.tif 000003
【図２】
0003164065.tif 000004
【図３】
0003164065.tif 000005
【図４】
0003164065.tif 000006
【図５】
0003164065.tif 000007
【図６】
0003164065.tif 000008
【図７】
0003164065.tif 000009
【図８】
0003164065.tif 000010
【図９】
0003164065.tif 000011
【図１０】
0003164065.tif 000012
【図１１】
0003164065.tif 000013
【図１２】
0003164065.tif 000014